(57)【要約】     【課題】  誤操作による画像データの破損を防止すると共にロックレバーの誤動作を防止することができる電子機器を提供することにある。    【解決手段】  カメラ本体１１は、レリーズボタン１２の操作によりレンズ鏡筒を介して取得した被写体画像をＣＣＤによりデジタル画像信号に変換した上で、メモリーカード１３に保存する。電池・メモリーカード蓋１６は、スライド後に回転することにより開動作を行って電池１７やメモリーカード１３をカメラ本体１１より挿抜することができる。電池・メモリーカード蓋１６には、蓋１６の面内において蓋１６のスライド方向と直角な方向にスライド自在なロックレバー１８が設けられている。蓋１６を開けるためにロックレバー１８をスライドさせると、その動作に応じて補助部材２０が黒太矢印方向に動作し、この動作は、検出スイッチ１９によって蓋１６の開動作の前兆として検出される。【選択図】      図２
2006050254.tif 000002
【特許請求の範囲】
【請求項１】
アクセサリを収納する収納室を有する本体と、前記収納室を開閉すると共に閉鎖時に前記アクセサリと電気的に接触する蓋とを備える電子機器において、
前記蓋の開動作を禁止・許可すべく前記蓋の面内で動作するロックレバーと、前記ロックレバーの動作を検出する検出スイッチとを備える電子機器。
【請求項２】
前記蓋はスライド後に回動することにより前記開動作を行うように構成され、前記ロックレバーは、前記蓋の面内において前記蓋のスライド方向と直角な方向に動作することを特徴とする請求項１記載の電子機器。
【請求項３】
前記検出スイッチは、前記ロックレバーの動作に応じて前記蓋の面に垂直な方向に動作することを特徴とする請求項１又は２記載の電子機器。
【請求項４】
前記ロックレバーと前記検出スイッチの各接触部は、夫々丸みを帯びた形状又はテーパ状であることを特徴とする請求項３記載の電子機器。
【請求項５】
前記アクセサリは、電池又は記録メディアから成ることを特徴とする請求項１乃至４のいずれか１項に記載の電子機器。
【請求項６】
デジタルカメラであることを特徴とする請求項１乃至５のいずれか１項に記載の電子機器。
【発明の詳細な説明】
【技術分野】
【０００１】
本発明は、電子機器に関し、特に、記録メディアや電池を本体より挿抜するために開閉可能な蓋を有するデジタルカメラ等の電子機器に関する。
【背景技術】
【０００２】
近年急速に普及しているデジタルカメラは、一般に、レンズ鏡筒を通して被写体を撮像素子により取得し、取得した画像の画像信号をデジタル画像信号へ変換した上で、メモリーカード等の記録メディアに記録するものである。
【０００３】
しかしながら、デジタルカメラは、メモリーカードに画像データを書き込み中にカメラ本体の電源が切れたり、メモリーカードがカメラ本体より抜き出された場合は、その画像データが破損する可能性が高いため、そのような動作が行われる前にデジタルカメラを正常にシャットダウンする必要がある。
【０００４】
そのため、多くのデジタルカメラでは、電池やメモリーカードがカメラ本体から抜き出されたことを、電池室の蓋やメモリーカードの蓋に設けた検出スイッチにより、各蓋の開閉を検出することにより検出している。
【０００５】
図４は、従来のデジタルカメラを背面側から見た斜視図である。
【０００６】
図４において、デジタルカメラ４０はカメラ本体４１を有し、カメラ本体４１は、レリーズボタン４２の操作により図示しないレンズ鏡筒を介して取得した被写体画像をＣＣＤによりデジタル画像信号に変換した上で、メモリーカード４３に保存する。液晶ディスプレイ４４は、撮影時に被写体画像の確認を行うと共に撮影後には撮影した画像の確認を行う。十字配列キー４５は、撮影時には各種撮影条件の設定等、再生時には画像の送り等様々な操作を行う。電池・メモリーカード蓋４６は、スライド後に回転することにより開動作を行って電池４７やメモリーカード４３をカメラ本体４１から挿抜することができる。
【０００７】
検出スイッチ４８は、スイッチ打鍵部４６ａにより電池・メモリーカード蓋４６の開閉動作の検出を行う。
【０００８】
図５において、電池・メモリーカード蓋４６は、閉状態からａ方向にスライドし、その後ｂ方向に回転して開状態となる。検出スイッチ４８は、スイッチ打鍵部４６ａにより電池・メモリカード蓋４６の閉状態時には押されていて、電池・メモリーカード蓋４６が閉状態であることを検出しており、ａ方向への動作に伴ってスイッチ打鍵部４６ａが検出スイッチ４８より離れることによりスイッチ信号が切り替り、電池・メモリカード蓋４６が開状態になったことを検出することができる。
【０００９】
デジタルカメラ４０は、蓋４６が開状態になったことを検出すると、メモリーカード４３へのアクセスを中止し、デジタルカメラ４０を正常にシャットダウンする。これにより、メモリーカード４３における画像データの破損を防止する。その後、ｂ方向に電池・メモリーカード蓋４６が開くことにより、電池４７又はメモリーカード４３をカメラ本体４１から挿抜することができる。
【００１０】
ここで、電池・メモリーカード蓋４６の内側面には２本の電池が電気的に接続するよう２本を連結する電池接片が構成されている。即ち、電池・メモリーカード蓋４６がｂ方向へ開いた瞬間に電池４７との接触が途絶えて、カメラ本体４１への電源供給が停止する。
【００１１】
また、電池・メモリーカード蓋に該蓋のスライドを禁止・許可すべく蓋の面に垂直な方向に動作するロックボタンを設け、ロックボタンの動作を電気的に検出することにより、電池・メモリーカード蓋の開動作の前兆を検出する技術も提案されている（例えば、特許文献１参照）。
【特許文献１】特開２００２−２８０７６０号公報
【発明の開示】
【発明が解決しようとする課題】
【００１２】
しかしながら、前者の従来技術の場合、例え電池・メモリーカード蓋４６の開状態を検出しても、使用者が蓋４６のスライド後の回転動作を素早く行った場合等、検出後に正常なシャットダウンが行われる前に電源供給が停止した場合は、結果的にメモリーカード４３における画像データを破損する可能性が高い。
【００１３】
また、後者の従来技術の場合、ロックボタンの動作方向が蓋の面に垂直な方向なので、ロックボタンの動作を検出してからカメラ本体への電源供給の停止までのタイムラグが充分にとれず、前者の従来技術と同様に、メモリーカードにおける画像データの破損を必ずしも防止することができないことに加えて、誤ってロックボタンに触れたときに、蓋が開いてしまう可能性がある。
【００１４】
本発明の目的は、誤操作による画像データの破損を防止すると共にロックレバーの誤動作を防止することができる電子機器を提供することにある。
【課題を解決するための手段】
【００１５】
上記の目的を達成するために、請求項１記載の電子機器は、アクセサリを収納する収納室を有する本体と、前記収納室を開閉すると共に閉鎖時に前記アクセサリと電気的に接触する蓋とを備える電子機器において、前記蓋の開動作を禁止・許可すべく前記蓋の面内で動作するロックレバーと、前記ロックレバーの動作を検出する検出スイッチとを備える。
【００１６】
請求項２記載の電子機器は、請求項１記載の電子機器において、前記蓋はスライド後に回動することにより前記開動作を行うように構成され、前記ロックレバーは、前記蓋の面内において前記蓋のスライド方向と直角方向に動作することを特徴とする。
【００１７】
請求項３記載の電子機器は、請求項１又は２記載の電子機器において、前記検出スイッチは、前記ロックレバーの動作に応じて前記蓋の面に垂直な方向に動作することを特徴とする。
【００１８】
請求項４記載の電子機器は、請求項３記載の電子機器において、前記ロックレバーと前記検出スイッチの各接触部は、夫々丸みを帯びた形状又はテーパ状であることを特徴とする。
【００１９】
請求項５記載の電子機器は、請求項１乃至４のいずれか１項に記載の電子機器において、前記アクセサリは、電池又は記録メディアから成ることを特徴とする。
【００２０】
請求項６記載の電子機器は、請求項１乃至５のいずれか１項に記載の電子機器において、デジタルカメラであることを特徴とする。
【発明の効果】
【００２１】
請求項１記載の電子機器によれば、ロックレバーが蓋の開動作を禁止・許可すべく蓋の面内で動作し、検出スイッチがロックレバーの動作に動作を検出するので、ロックレバーの動作を検出してから蓋のアクセサリに対する電気的接触がなくなるまでタイムラグを充分に確保することができ、もって誤操作による画像データの破損を防止することができ、加えてロックレバーの誤動作を防止することができる。
【００２２】
請求項２記載の電子機器によれば、ロックレバーが蓋の面内において蓋のスライド方向と直角な方向に動作するので、ロックレバーの誤操作を確実に防止することができる。
【００２３】
請求項３記載の電子機器によれば、検出スイッチがロックレバーの動作に応じて蓋の面に垂直な方向に動作するので、検出スイッチのレイアウトを容易に行うことができる。
【００２４】
請求項４記載の電子機器によれば、ロックレバーと検出スイッチの各接触部は、夫々丸みを帯びた形状又はテーパ状であるので、ロックレバーの動作を容易に検出スイッチに伝達することができ、スムーズな動作が可能になる。
【００２５】
請求項５記載の電子機器によれば、アクセサリは、電池又はメモリーカードから成るので、請求項１の効果を確実に奏することができる。
【発明を実施するための最良の形態】
【００２６】
以下、本発明の実施の形態を図面を参照しながら詳述する。
【００２７】
図１は、本発明の実施の形態に係る電子機器を含むデジタルカメラの背面から見た斜視図である。
【００２８】
図１において、デジタルカメラ１０は、カメラ本体１１を有し、カメラ本体１１は、レリーズボタン１２の操作により図示しないレンズ鏡筒を介して取得した被写体画像をＣＣＤによりデジタル画像信号に変換した上で、メモリーカード１３（記録メディア）に保存する。液晶ディスプレイ１４は、撮影時に被写体画像の確認を行うと共に撮影後には撮影した画像の確認を行う。十字配列キー１５は、撮影時には各種撮影条件の設定等、再生時には画像の送り等様々な操作を行う。電池・メモリーカード蓋１６は、スライド後に回転することにより開動作を行って電池１７やメモリーカード１３をカメラ本体１１より挿抜することができる。
【００２９】
電池・メモリーカード蓋１６には、蓋１６の面内において蓋１６のスライド方向であるＢ方向と直角なＡ方向にスライド自在なロックレバー１８が設けられている（図２）。このロックレバー１８は、蓋１６が閉状態にあるときは、カメラ本体１１側にある突起部２１と係合し、これにより、蓋１６のＢ方向へのスライドを禁止して、蓋１６が開くのを防止することができる。
【００３０】
また、カメラ本体１１の電気基板２２には、ロックレバー１８の動作に応じて蓋１６の面に垂直な方向に動作する補助部材２０をスライド自在で保持し、ロックレバー１８の動作を検出する検出スイッチ１９が取り付けられている。ロックレバー１８と補助部材２０の各接触部は、夫々丸みを帯びた形状又はテーパ状である。
【００３１】
デジタルカメラ１０の使用者は、蓋１６を開けるときに、まず、このロックレバー１８をＡ方向へスライドさせて、突起部２１との係合をはずすことにより、蓋１６をＢ方向にスライドした上で、蓋１６をＣ方向へ回転させることができる。このとき、電気基板２２上に取り付けられた検出スイッチ１９は、ロックレバー１８により補助部材２０を介して押されており、蓋１６が閉状態にあることを検出しているが、デジタルカメラ１０の使用者が蓋１６を開けるためにロックレバー１８をスライドさせると、その動作に応じて補助部材２０が黒太矢印方向に動作し、この動作は、検出スイッチ１９によって蓋１６の開動作の前兆として検出される。この検出を受けて、カメラ本体４１は、メモリーカード１３へのアクセスを中止し、デジタルカメラ１０を正常にシャットダウンさせる。
【００３２】
補助部材２０及びロックレバー１８は、互いの接触部分を丸みを帯びた形状又はテーパー状としているため、蓋１６の面内におけるＡ方向の力を蓋１６の面に垂直な方向へ伝達可能となり、スムーズな動作が可能となる。
【００３３】
上記のような構成により、蓋１６の検出スイッチ１９が蓋１６の開動作前兆を検出してから実際に蓋１６が開くまでのタイムラグを確実に確保することができ、その間にデジタルカメラ１０を正常にシャットダウンすることができるので、画像データの破損を確実に防止することができる。
【００３４】
本実施の形態では、蓋１６に対して検出スイッチ１９の動作方向を蓋１６の面に垂直な方向としているが、デジタルカメラ１０の蓋１６は操作性やデザイン性、内部のレイアウト構成からカメラ正面から見て左側面又は底面に配置される場合が多く、その場合、蓋１６の面に垂直な方向には、必ずと言ってよいほど電気基板２２が配置されているので、この検出スイッチ１９は、これら電気基板２２の何れかに配置すればよく、単独で検出スイッチ１９のみフレキシブル基板やリード線などを用いて配置するのに比べて、レイアウト的にも非常にシンプルな構成とすることができる。
【００３５】
また、上記実施の形態では、検出スイッチ１９は、蓋１６の面に垂直な方向、即ち補助部材２０の動作方向と同一方向に動作するものであるが、そのようなスイッチが採用できないような場合には、例えば図３に示すように、バネ部材３１を使用することで補助部材２０の動作方向と直交した方向に作動するスイッチ１９ａを用いてもよい。
【図面の簡単な説明】
【００３６】
【図１】本発明の実施の形態に係る電子機器を背面から見た斜視図である。
【図２】図１におけるロックレバー及び検出スイッチの拡大図である。
【図３】図２のロックレバー及び検出スイッチの変形例の斜視図である。
【図４】従来の電子機器を背面から見た斜視図である。
【図５】図４の検出スイッチの拡大図である。
【符号の説明】
【００３７】
１０  デジタルカメラ
１１  デジタルカメラ本体
１２  レリーズボタン
１３  メモリーカード
１４  液晶ディスプレイ
１５  操作部材
１６  電池・メモリーカード蓋
１７  電池
１８  ロックレバー
１９  検出スイッチ
２０  補助部材
２１  突出部
２２  電気基板
３１  バネ
【図１】
2006050254.tif 000003
【図２】
2006050254.tif 000004
【図３】
2006050254.tif 000005
【図４】
2006050254.tif 000006
【図５】
2006050254.tif 000007